(57)【要約】【課題】製造が容易でありながら耐久性に優れ、最小の薄さで携帯や収納を可能にする、それぞれ異なる尺度のスケールを具備する複列スケールを提供する。【解決手段】複列スケール１０は矩形状のシート１１に形成されたそれぞれ異なる尺度のスケール１ａ、１ｂ、１ｃ、１ｄ、１ｅ、１ｆ、１ｇを有し、それぞれの境界に折り目５ａｂ、５ｂｃ、５ｃｄ、５ｄｅ、５ｅｆ、５ｆｇが設けられている。したがって、シート１１の厚さ１枚分の厚さで携帯や収納ができ、所望の折り目（例えば、折り目５ｂｃ）において折り曲げれば、当該折り目に沿った目盛り（例えば、目盛り２ｃ）による測定が可能になる。【選択図】図１
0003134002.tif 000002
【実用新案登録請求の範囲】
【請求項１】
それぞれ異なる尺度の目盛りが付されているスケールが同一面内に複数列配置され、
前記スケール同士の境界において折り曲げ自在であることを特徴とする複列スケール。
【請求項２】
前記スケール同士の境界に透明な帯状部分が配置されていることを特徴とする請求項１記載の複列スケール。
【考案の詳細な説明】
【技術分野】
【０００１】  本考案は複列スケール、特に、それぞれ異なる尺度の目盛りが付されているスケールを複数列有する複列スケールに関する。
【背景技術】
【０００２】  従来、各面に異なる尺度の目盛りが付されている三角スケールは、嵩張って携帯に不便であるため、３枚以上の帯板状の目盛り板を連結部材に略放射状に接続し、該連結部材において折り曲げ可能にした複合スケールが開示されている（例えば、特許文献１参照）。
【特許文献１】特開２００２−３０３５０１号公報（第２−３頁、図１）
【考案の開示】
【考案が解決しようとする課題】
【０００３】  しかしながら、前記特許文献１に開示された複合スケールは、複数枚の目盛り板を連結部材に接続する作業が困難であると共に、連結部材または接続部が破断するおそれがあるという問題があった。このため、実際は、５枚以上の目盛り板を連結することは困難になり、１０種類以上の尺度を有する複合スケールの製造が困難であるという問題があった。さらに、最も薄くしても目盛り板の厚さ２枚分の厚さになるため、携帯性や収納性の改善が要請されていた。【０００４】  本考案はかかる問題に鑑み、製造が容易でありながら耐久性に優れ、かつ、最小の薄さで携帯や収納を可能にするスケール（本考案において「複列スケール」と称す）を提供することを目的とする。
【課題を解決するための手段】
【０００５】  （１）本考案の複列スケールは、それぞれ異なる尺度の目盛りが付されているスケールが同一面内に複数列配置され、前記スケール同士の境界において折り曲げ自在であることを特徴とする。
（２）また、前記スケール同士の境界に透明な帯状部分が配置されていることを特徴とする。
【考案の効果】
【０００６】  （ｉ）本考案の複列スケールは、同一面内に複数列のスケールを配置（例えば、印刷、転写等）して、スケール同士の境界に折り曲げを容易にする手段（例えば、凹溝）を設けるだけで製造することができるから、製造が容易であると共に、耐久性に優れている。（ｉｉ）また、同一面内に配置するスケールの列数に制限がないから、所望の種類の尺度を具備する複列スケールを容易に製造することができる。（ｉｉｉ）さらに、折り曲げない状態、すなわち、最小の薄さで、携帯したり、収納したりすることができる。（ｉｖ）そして、折り曲げ部に透明な帯状部分を配置すれば、読み取りが容易かつ正確になる。
【考案を実施するための最良の形態】
【０００７】  ［実施の形態１］
図１は本考案の実施形態１に係る複列スケールの一部を示す平面図である。図１において、複列スケール１０は、矩形状のシート１１に形成（例えば、印刷、転写等）されたスケール１ａ、１ｂ、１ｃ、１ｄ、１ｅ、１ｆ、１ｇを有している。スケール１ａは、上辺に沿って目盛り２ａと、目盛り２ａに沿って所定間隔で目盛り数値３ａ（０、１、２・・・）と、が付されている。スケール１ｂは、上辺に沿って目盛り２ｂと、目盛り２ｂに沿って所定間隔で目盛り数値３ｂ（０、１０、２０・・・）と、スケール１ｂの尺度を示す尺度数値４ｂ（１／６００）と、が付されている。そして、スケール１ａの下辺とスケール１ｂの上辺との境界に、線状の凹溝からなる折り目５ａｂが設けられている。【０００８】  また、スケール１ｃは、上辺に沿って目盛り２ｃと、目盛り２ｃに沿って所定間隔で目盛り数値３ｃ（０、１０、２０・・・）と、スケール１ｃの尺度を示す尺度数値４ｃ（１／５００）と、が付されている。そして、スケール１ｂの下辺とスケール１ｃの上辺との境界に、線状の凹溝からなる折り目５ｂｃが設けられている。
以下、同様に、スケール１ｄ、１ｅ、１ｆ、１ｇには、それぞれ、目盛り２ｄ、２ｅ、２ｆ、２ｇと、目盛り数値３ｄ、３ｅ、３ｆ、３ｇと、尺度数値４ｄ（１／４００）、４ｅ（１／３００）、４ｆ（１／２００）、４ｇ（１／１００）と、が付され、折り目５ｃｄ、５ｄｅ、５ｅｆ、５ｆｇが設けられている。以下、共通する内容の説明においては符号「ａ、ｂ・・・」の記載を省略する。【０００９】  したがって、複列スケール１０は、シート１１（共通の面に同じ）にスケール１を配置（例えば、印刷、転写等）して、その境界に折り目５を設けるだけで製造することができるから、製造が容易であると共に、耐久性に優れている。また、シート１１に配置するスケール１の列数に制限がないから、所望の種類の尺度を具備する複列スケール１０を容易に製造することができる。さらに、折り曲げない状態で、すなわち、１枚のシート１１の厚さ（最小の薄さに同じ）で、携帯や収納が可能であるから、利便性が向上する。【００１０】  なお、本考案は図示する構成に限定するものではなく、シート１１の大きさ（長さ、幅、厚さ）、スケール１の数量（列数）やそれぞれの尺度は適宜選定されるものである。また、目盛り２はメートル単位系に限定するものではなく、インチ単位系であってもよく、さらに、シート１１の一方の面に前者を、他方の面に後者を設けてもよい。また、折り目５の部分に目盛り２が付されてもよい。さらに、シート１１を形成する素材は限定するものではなく、紙、合成樹脂（透明または不透明）等何れであってもよい。さらに、個々のスケール１を別個に製造し、これらを折り曲げ自在に接続したものであってもよい。【００１１】  図２は、図１に示す複列スケールの使用状況を説明するために模式的に示した側面図である。なお、図１と同し部分にはこれと同じ符号を付し、一部の説明を省略する。図２において、複列スケール１０は、折り目５ｂｃにおいて折り曲げられ、スケール１ａ、１ｂが被測定物（例えば、地図）９に載置され、スケール１ｃ、１ｄ・・・が上になっている。したがって、折り目５ｂｃに沿った目盛り２ｃ（尺度：１／５００、図１参照）による被測定物９の測定が可能になっている。
また、折り曲げる位置を変更すれば、折り曲げられた折り目５に沿た尺度による被測定物９の測定ができる。したがって、複列スケール１０は、前記のように携帯性や収納性に優れるだけでなく、折り曲げる位置を変更するだけで容易に尺度を選択することができるから、適宜所望の尺度のスケールとして使用することが可能になる。
なお、図２は各部の寸法を誇張すると共に、被特定物９とスケール１ｂとが離れているが通常当接し、スケール１ｂとスケール１ｃ、スケール１ａとスケール１ｄが離れているが、これらが当接するように折り目５ｂｃにおいて折り畳むことができるものである。【００１２】  ［実施の形態２］
図３は本考案の実施形態２に係る複列スケールの使用状況を説明するために模式的に示した側面図である。なお、図１（実施の形態１）と同じ部分または相当する部分にはこれと同じ符号を付し、一部の説明を省略する。図３において、複列スケール２０は、可撓性を具備する矩形状の透明シート２１に、スケール１ａ、１ｂ・・・１ｇの目盛りが表示されている面が、透明隙間６ａｂ、６ｂｃ・・・６ｆｇを空けて平行に添着されている。そして、透明隙間６ｃｄにおいて折り畳まれ、スケール１ａ、１ｂ、１ｃが測定物９に載置されている。【００１３】  したがって、透明隙間６ｃｄに沿った目盛り２ｄ（尺度：１／４００、図１参照）による被測定物９の測定が可能になっている。また、折り畳む位置を変更すれば、折り畳まれた透明隙間６に沿った尺度による被測定物９の測定ができる。
したがって、複列スケール２０は複列スケール１０（実施の形態１）と同様に、携帯性や収納性に優れ、適宜所望の尺度のスケールとして使用することができることに加え、測定に供される目盛り２の側縁が透明であるから、測定が容易かつ確実になる。
なお、以上は、透明シート２１にスケール１が添着されているが、本考案はこれに限定するものではなく、例えば、透明シート２１自体にスケール１を直接印刷したり、転写したりしてもよい。【００１４】  ［実施の形態３］
図４は本考案の実施形態３に係る複列スケールの使用状況を説明するために模式的に示した側面図である。なお、図１（実施の形態１）と同じ部分または相当する部分にはこれと同じ符号を付し、一部の説明を省略する。図３において、複列スケール３０は、可撓性を具備する矩形状の透明シート３１に、スケール１ａ、１ｂ・・・１ｇ目盛りが表示されていない面が、透明隙間６ａｂ、６ｂｃ・・・６ｆｇを空けて平行に添着されている。そして、スケール１は下辺（目盛りが付されていない側縁）から所定の接着範囲７ａ、７ｂ・・・７ｇにおいて透明シート３１に接着されている（図４において、接着範囲に波線を付している）。
そして、透明隙間６ｅｆにおいて折り曲げられ、スケール１ａ、１ｂ・・・１ｅが測定物９に載置されているから、スケール１ｆの上辺（目盛りが付された側縁）から所定の距離の範囲が透明シート３１から離れ、折り曲げ位置から突出している。【００１５】  したがって、透明隙間６ｅｆに沿った目盛り２ｆ（尺度：１／２００、図１参照）による被測定物９の測定が可能になっている。また、折り曲げる位置を変更すれば、折り曲げ位置から突出した尺度による被測定物９の測定ができる。
したがって、複列スケール３０は複列スケール１０（実施の形態１）と同様に、携帯性や収納性に優れ、適宜所望の尺度のスケールとして使用することができることに加え、測定に供される目盛り３の側縁が突出するから、測定が容易かつ確実になる。
なお、目盛りは透明シート３１が接着されない面であっても、透明シート３１が接着される面であってもよい。
【産業上の利用可能性】
【００１６】  本考案は以上の構成であるから、異なる目盛りが付されている複数のスケールを有する複列スケール（マルチスケール）として広く利用することができる。
【図面の簡単な説明】
【００１７】
【図１】本考案の実施形態１に係る複列スケールの一部を示す平面図。
【図２】図１に示す複列スケールの使用状況を説明するために模式的に示す側面図。
【図３】本考案の実施形態２に係る複列スケールの使用状況を説明するために模式的に示す側面図図。
【図４】本考案の実施形態３に係る複列スケールの使用状況を説明するために模式的
【符号の説明】
【００１８】  １：スケール、２：目盛り、３：目盛り数値、４：尺度数値、５：折り目、６：透明隙間、９：被測定物、１０：複列スケール（実施の形態１）、１１：シート、２０：複列スケール（実施の形態２）、２１：透明シート、３０：複列スケール（実施の形態３）、３１：透明シート。
【図１】
0003134002.tif 000003
【図２】
0003134002.tif 000004
【図３】
0003134002.tif 000005
【図４】
0003134002.tif 000006